(57)【要約】【課題】第１の貨幣処理装置に対し、効率的な貨幣の補充や回収が行える貨幣処理システムを提供する。【解決手段】貨幣処理システム１は、貨幣の入出金を行う貨幣入出金機２と、貨幣入出金機２よりも大量の貨幣の入出金を行うことが可能な出納機３とが通信回路４を介して通信可能に接続されてなり、出納機３に設けられた操作表示部と、端末制御部とを備える。端末制御部は、貨幣入出金機２のスタッカ内の貨幣の量が下限側の閾値を下回ると、操作表示部に貨幣の不足を通知するための警告アイコンを表示させ、貨幣入出金機２のスタッカ内の貨幣の量が上限側の閾値を上回ると、操作表示部に貨幣の超過を通知するための警告アイコンを表示させる。【選択図】図１
2018005795.tif 000002
【特許請求の範囲】
【請求項１】
貨幣の入出金を行う第１の貨幣処理装置と、当該第１の貨幣処理装置よりも大量の貨幣の入出金を行うことが可能な第２の貨幣処理装置とが通信可能に接続されてなる貨幣処理システムにおいて、
前記第１の貨幣処理装置に設けられた収納部内の貨幣の量が所定値に達しているか否かを判定する判定部と、
前記第２の貨幣処理装置に設けられた情報出力部と、
前記収納部内の貨幣の量が前記所定値に達していると前記判定部が判定した場合に、前記所定値に達していることを知らせる通知情報を前記情報出力部に出力させる情報出力制御部と、
を備えることを特徴とする貨幣処理システム。
【請求項２】
前記所定値は、前記収納部内の貨幣の量が、補充が必要な量まで低下したか否かを判定するための下限側の閾値を含み、
前記情報出力制御部は、前記収納部内の貨幣の量が前記下限側の閾値を下回った場合に、前記収納部内の貨幣が不足状態であることを知らせる情報を、前記通知情報として前記情報出力部に出力させる、
ことを特徴とする請求項１に記載の貨幣処理システム。
【請求項３】
前記収納部に補充すべき貨幣の量を特定する補充貨幣量特定部をさらに備え、
前記第２の貨幣処理装置は、前記補充貨幣量特定部が特定した量の貨幣を出金する、ことを特徴とする請求項２に記載の貨幣処理システム。
【請求項４】
前記所定値は、前記収納部内の貨幣の量が、回収が必要な量まで増加したか否かを判定するための上限側の閾値を含み、
前記情報出力制御部は、前記収納部内の貨幣の量が前記上限側の閾値を上回った場合に、前記収納部内の貨幣が超過状態であることを知らせる情報を、前記通知情報として前記情報出力部に出力させる、
ことを特徴とする請求項１ないし３の何れか一項に記載の貨幣処理システム。
【請求項５】
前記収納部から回収すべき貨幣の量を特定する回収貨幣量特定部をさらに備え、
前記第１の貨幣処理装置は、前記回収貨幣量特定部が特定した量の貨幣を前記収納部から出金する、
ことを特徴とする請求項４に記載の貨幣処理システム。
【請求項６】
前記情報出力制御部は、前記第１の貨幣処理装置からの貨幣の回収を促す情報を前記情報出力部に出力させる、
ことを特徴とする請求項４または５に記載の貨幣処理システム。
【請求項７】
前記第１の貨幣処理装置は、表示部と、表示制御部とをさらに備え、
前記表示制御部は、前記通知情報の通知後に前記第２の貨幣処理装置から送られた契機情報を契機として、前記通知情報に基づく処理が前記第２の貨幣処理装置で行われたことを示す情報を前記表示部に表示させる、
ことを特徴とする請求項１ないし６の何れか一項に記載の貨幣処理システム。
【請求項８】
前記第１の貨幣処理装置が複数含まれ、
前記情報出力制御部は、前記収納部内の貨幣の量が前記所定値に達している前記第１の貨幣処理装置を特定する特定情報を前記情報出力部に出力させる、
ことを特徴とする請求項１ないし７の何れか一項に記載の貨幣処理システム。
【請求項９】
貨幣の入出金を行う他の貨幣処理装置と通信可能に接続され、当該他の貨幣処理装置よりも大量の貨幣の入出金を行うことが可能な貨幣処理装置において、
前記他の貨幣処理装置に設けられた収納部内の貨幣の量が所定値に達しているか否かを判定する判定部と、
情報出力部と、
前記収納部内の貨幣の量が前記所定値に達していると前記判定部が判定した場合に、前記所定値に達していることを知らせる通知情報を前記情報出力部に出力させる情報出力制御部と、
を備えることを特徴とする貨幣処理装置。
【請求項１０】
貨幣の入出金を行う貨幣処理装置であって、当該貨幣処理装置よりも大量の貨幣の入出金を行うことが可能な他の貨幣処理装置と通信可能に接続された貨幣処理装置において、
貨幣が収納される収納部と、
前記収納部内の貨幣の量が前記所定値に達していることを知らせる通知情報を前記他の貨幣処理装置の情報出力部に出力させるために利用される情報を、前記他の貨幣処理装置に送信する情報提供部と、
を備えることを特徴とする貨幣処理装置。
【発明の詳細な説明】
【技術分野】
【０００１】
本発明は、貨幣処理システムおよび貨幣処理装置に関する。
【背景技術】
【０００２】
銀行等の金融機関では、窓口に、貨幣の入出金を行う貨幣入出金機が設置されており、顧客から入金や出金の依頼を受けたテラーが、貨幣入出金機に対して入金や出金の操作を行う。また、窓口から離れた場所には、貨幣入出金機よりも大型で大量の貨幣の入出金が行える出納機が設置されている。
【０００３】
これら貨幣入出金機（窓口入出金機）および出納機（オープン出納機）がネットワークを介して接続されてなる貨幣処理システム（現金処理システム）が、たとえば、特許文献１に開示されている。
【０００４】
特許文献１の貨幣処理システムでは、貨幣入出金機内の貨幣の収納部が空に近い状態（ニアエンプティ状態）になった場合、テラーは、出納機から貨幣を出金させ、出金された貨幣を貨幣入出金機に補充する。この際、出納機から出金された貨幣の金種や枚数のデータがネットワークを介して貨幣入出金機に送信され、実際に貨幣入出金機に補充された貨幣の金種や枚数との照合に用いられる。また、収納部が満杯に近い状態（ニアフル状態）になった場合、テラーは、収納部から貨幣を回収し、出納機へ入金する。この際、貨幣入出金機から回収された貨幣の金種や枚数のデータがネットワークを介して出納機に送信され、実際に出納機に入金された貨幣の金種や枚数との照合に用いられる。
【先行技術文献】
【特許文献】
【０００５】
【特許文献１】特開２０１４−１２３２１６号公報
【発明の概要】
【発明が解決しようとする課題】
【０００６】
上記の貨幣処理システムでは、貨幣入出金機へ貨幣の補充する際も貨幣入出金機から貨幣を回収する際も、テラーが出納機に出向いて、補充される貨幣の出金および回収された貨幣の入金を行うため、その間、テラーによる窓口業務が長く中断されてしまう虞がある。
【０００７】
かかる課題に鑑み、本発明は、貨幣の入出金を行う第１の貨幣処理装置と、当該第１の貨幣処理装置よりも大量の貨幣の入出金を行うことが可能な第２の貨幣処理装置とが通信可能に接続されてなる貨幣処理システムにおいて、第１の貨幣処理装置に対し、効率的な貨幣の補充や回収が行えるようにすることを目的とする。
【課題を解決するための手段】
【０００８】
本発明の第１の態様は、貨幣の入出金を行う第１の貨幣処理装置と、当該第１の貨幣処理装置よりも大量の貨幣の入出金を行うことが可能な第２の貨幣処理装置とが通信可能に接続されてなる貨幣処理システムに関する。本態様に係る貨幣処理システムは、前記第１の貨幣処理装置に設けられた収納部内の貨幣の量が所定値に達しているか否かを判定する判定部と、前記第２の貨幣処理装置に設けられた情報出力部と、前記収納部内の貨幣の量が前記所定値に達していると前記判定部が判定した場合に、前記所定値に達していることを知らせる通知情報を前記情報出力部に出力させる情報出力制御部と、を備える。
【０００９】
上記の構成によれば、第２の貨幣処理装置を扱う係員が、第１の貨幣処理装置の収納部内の貨幣の量が所定値に達している場合の対処、たとえば、第１の貨幣処理装置に補充する貨幣の第２の貨幣処理装置からの出金や第１の貨幣処理装置から回収された貨幣の第２の貨幣処理装置への入金を、第１の貨幣処理装置を扱う係員に代わって行うことができる。よって、第１の貨幣処理装置を扱う係員は、窓口等、その持場を離れずに済む。
【００１０】
本態様に係る貨幣処理システムにおいて、前記所定値は、前記収納部内の貨幣の量が、補充が必要な量まで低下したか否かを判定するための下限側の閾値を含み得る。この場合、前記情報出力制御部は、前記収納部内の貨幣の量が前記下限側の閾値を下回った場合に、前記収納部内の貨幣が不足状態であることを知らせる情報を、前記通知情報として前記情報出力部に出力させる。
【００１１】
上記の構成によれば、第２の貨幣処理装置を扱う係員が、第２の貨幣処理装置から補充する貨幣を出金し、第１の貨幣処理装置に持参することができる。これにより、第１の貨幣処理装置を扱う係員が、その持場を離れなくて済み、その持場での業務が長く中断されることが防止される。
【００１２】
上記の構成とされた場合、前記収納部に補充すべき貨幣の量を特定する補充貨幣量特定部をさらに備えるような構成が採られ得る。この場合、前記第２の貨幣処理装置は、前記補充貨幣量特定部が特定した量の貨幣を出金する。
【００１３】
このような構成とされれば、第２の貨幣処理装置を扱う係員が、第１の貨幣処理装置に出向いて補充される貨幣の量を確認し、その貨幣の量を第２の貨幣処理装置において入力するといった手間がいらず、利便性が高まる。
【００１４】
本態様に係る貨幣処理システムにおいて、前記所定値は、前記収納部内の貨幣の量が、回収が必要な量まで増加したか否かを判定するための上限側の閾値を含み得る。この場合、前記情報出力制御部は、前記収納部内の貨幣の量が前記上限側の閾値を上回った場合に、前記収納部内の貨幣が超過状態であることを知らせる情報を、前記通知情報として前記情報出力部に出力させる。
【００１５】
上記の構成によれば、第２の貨幣処理装置を扱う係員が、第１の貨幣処理装置から回収された貨幣を第２の貨幣処理装置まで持参し、第２の貨幣処理装置に入金できる。これにより、第１の貨幣処理装置を扱う係員が、その持場を離れなくて済み、その持場での業務が長く中断されることが防止される。
【００１６】
上記の構成とされた場合、前記収納部から回収すべき貨幣の量を特定する回収貨幣量特定部をさらに備えるような構成が採られ得る。この場合、前記第１の貨幣処理装置は、前記回収貨幣量特定部が特定した量の貨幣を前記収納部から出金する。
【００１７】
このような構成とされれば、回収される貨幣の量を第１の貨幣処理装置において入力するといった手間がいらず、利便性が高まる。
【００１８】
上記の構成とされた場合、前記情報出力制御部は、前記第１の貨幣処理装置からの貨幣の回収を促す情報を前記情報出力部に出力させるような構成が採られ得る。
【００１９】
このような構成とされれば、回収の対象となる第１の貨幣処理装置に素早く第２の貨幣処理装置を扱う係員を向かわせやすくなる。
【００２０】
本態様に係る貨幣処理システムにおいて、前記第１の貨幣処理装置は、表示部と、表示制御部とをさらに備えるような構成が採られ得る。この場合、前記表示制御部は、前記通知情報の通知後に前記第２の貨幣処理装置から送られた契機情報を契機として、前記通知情報に基づく処理が前記第２の貨幣処理装置で行われたことを示す情報を前記表示部に表示させる。
【００２１】
上記の構成によれば、第１の貨幣処理装置を扱う係員は、表示部を見ることで、第２の貨幣処理装置において貨幣の補充や回収ための対応を行ってくれていることを把握できる。
【００２２】
本態様に係る貨幣処理システムにおいて、前記第１の貨幣処理装置が複数含まれるような構成が採られ得る。この場合、前記情報出力制御部は、前記収納部内の貨幣の量が前記所定値に達している前記第１の貨幣処理装置を特定する特定情報を前記情報出力部に出力させる。
【００２３】
上記の構成によれば、第２の貨幣処理装置を扱う係員は、自身が向かうべき第１の貨幣処理装置を素早く把握できる。
【００２４】
本発明の第２の態様は、貨幣の入出金を行う他の貨幣処理装置と通信可能に接続され、当該他の貨幣処理装置よりも大量の貨幣の入出金を行うことが可能な貨幣処理装置に関する。本態様に係る貨幣処理装置は、前記他の貨幣処理装置に設けられた収納部内の貨幣の量が所定値に達しているか否かを判定する判定部と、情報出力部と、前記収納部内の貨幣の量が前記所定値に達していると前記判定部が判定した場合に、前記所定値に達していることを知らせる通知情報を前記情報出力部に出力させる情報出力制御部と、を備える。
【００２５】
上記の構成によれば、第１の態様に係る貨幣処理システムと同様の作用効果を奏することができる。
【００２６】
本発明の第３の態様は、貨幣の入出金を行う貨幣処理装置であって、当該貨幣処理装置よりも大量の貨幣の入出金を行うことが可能な他の貨幣処理装置と通信可能に接続された貨幣処理装置に関する。本態様に係る貨幣処理装置は、貨幣が収納される収納部と、前記収納部内の貨幣の量が前記所定値に達していることを知らせる通知情報を前記他の貨幣処理装置の情報出力部に出力させるために利用される情報を、前記他の貨幣処理装置に送信する情報提供部と、を備える。
【００２７】
上記の構成によれば、第１の態様に係る貨幣処理システムと同様の作用効果を奏することができる。
【発明の効果】
【００２８】
本発明によれば、貨幣の入出金を行う第１貨幣処理装置と、当該第１の貨幣処理装置よりも大量の貨幣の入出金を行うことが可能な第２貨幣処理装置とが通信可能に接続されてなる貨幣処理システムにおいて、第１貨幣処理装置に対し、効率的な貨幣の補充や回収を行うことができる。
【００２９】
本発明の効果ないし意義は、以下に示す実施形態の説明により更に明らかとなろう。ただし、以下に示す実施形態は、あくまでも、本発明を実施化する際の一つの例示であって、本発明は、以下の実施形態に記載されたものに何ら制限されるものではない。
【図面の簡単な説明】
【００３０】
【図１】図１は、実施形態に係る、貨幣処理システムの構成を示すブロック図である。
【図２】図２は、実施形態に係る、貨幣入出金機の構成を示す概略図である。
【図３】図３は、実施形態に係る、貨幣入出金機の主たる構成を示すブロック図である。
【図４】図４は、実施形態に係る、出納機の外観を示す斜視図である。
【図５】図５は、実施形態に係る、紙幣処理機の内部構成を示す概要図である。
【図６】図６は、実施形態に係る、出納機の主たる構成を示すブロック図である。
【図７】図７は、実施形態に係る、貨幣入出金機側で行われる残量監視・補充処理の制御動作を示すフローチャートである。
【図８】図８（ａ）は、実施形態に係る、警告アイコンが表示された待機画面を示す図であり、図８（ｂ）は、実施形態に係る、対応中アイコンが表示された待機画面を示す図であり、図８（ｃ）は、実施形態に係る、補充開始画面を示す図である。
【図９】図９は、実施形態に係る、出納機側で行われる残量監視・補充処理の制御動作を示すフローチャートである。
【図１０】図１０（ａ）は、実施形態に係る、警告アイコンが表示された待機画面を示す図であり、図１０（ｂ）は、実施形態に係る、選択画面を示す図であり、図１０（ｃ）は、実施形態に係る、出金開始画面を示す図である。
【図１１】図１１は、実施形態に係る、貨幣入出金機側で行われる残量監視・回収処理の制御動作を示すフローチャートである。
【図１２】図１２（ａ）は、実施形態に係る、警告アイコンが表示された待機画面を示す図であり、図１２（ｂ）は、実施形態に係る、対応中アイコンが表示された待機画面を示す図であり、図１２（ｃ）は、実施形態に係る、回収開始画面を示す図である。
【図１３】図１３は、実施形態に係る、出納機側で行われる残量監視・回収処理の制御動作を示すフローチャートである。
【図１４】図１４（ａ）は、実施形態に係る、警告アイコンが表示された待機画面を示す図であり、図１４（ｂ）は、実施形態に係る、待機画面上に詳細情報ウィンドウがポップアップ表示された状態を示す図であり、図１４（ｃ）は、実施形態に係る、詳細確認画面を示す図であり、図１４（ｄ）は、実施形態に係る、入金開始画面を示す図である。
【図１５】図１５（ａ）は、実施形態に係る、精査監視処理の制御動作を示すフローチャートであり、１５（ｂ）は、実施形態に係る、管理テーブルで各貨幣入出金機での精査処理の状況が管理される様子を示す図である。
【図１６】図１６は、実施形態に係る、締め処理の制御動作を示すフローチャートである。
【図１７】図１７（ａ）は、実施形態に係る、締め実行画面を示す図であり、図１７（ｂ）は、実施形態に係る、再精査実行画面を示す図である。
【図１８】図１８は、変更例１に係る、貨幣入出金機側で行われる残量監視・回収処理の制御動作を示すフローチャートである。
【図１９】図１９は、変更例１に係る、出納機側で行われる残量監視・回収処理の制御動作を示すフローチャートである。
【発明を実施するための形態】
【００３１】
以下、本発明の実施形態について、図面を参照して説明する。
【００３２】
以下の実施形態において、貨幣入出金機２が特許請求の範囲に記載の「第１の貨幣処理装置」に対応する。また、出納機３が特許請求の範囲に記載の「第２の貨幣処理装置」に対応する。さらに、制御部１３が特許請求の範囲に記載の「表示制御部」および「情報提供部」に対応する。さらに、操作表示部１５が特許請求の範囲に記載の「表示部」に対応する。さらに、スタッカ１９０が特許請求の範囲に記載の「収納部」に対応する。さらに、操作表示部５１０が特許請求の範囲に記載の「情報出力部」に対応する。さらに、端末制御部５２０が特許請求の範囲に記載の「判定部」、「情報出力制御部」、「補充貨幣量特定部」および「回収貨幣量特定部」に対応する。
【００３３】
ただし、上記記載は、あくまで、特許請求の範囲の構成と実施形態の構成とを対応付けることを目的とするものであって、上記対応付けによって特許請求の範囲に記載の発明が実施形態の構成に何ら限定されるものではない。
【００３４】
図１は、本実施形態に係る、貨幣処理システム１の構成を示すブロック図である。貨幣処理システム１は、複数台の貨幣入出金機２と、出納機３とを含む。各貨幣入出金機２と出納機３とは、無線または有線の通信回線４を介して通信可能に接続される。
【００３５】
貨幣入出金機２は、銀行等の金融機関の窓口カウンタの内側に設置され、貨幣の入出金業務を行うテラー（窓口係）により使用される。出納機３は、金融機関のフロア内において、窓口カウンタから離れた後方の場所に設置される。出納機３は、貨幣入出金機２よりも大型であり、貨幣入出金機２よりも大量の貨幣の入出金を行うことができる。このため、小口の貨幣の入出金は、貨幣入出金機２により行われるが、大口の貨幣の入出金は、直接、出納機３により行われる。また、貨幣入出金機２に貨幣の不足が生じた場合、貨幣入出金機２に補充される貨幣が出納機３から出金され、貨幣入出金機２に貨幣の超過が生じた場合、貨幣入出金機２から回収された貨幣が出納機３に入金される。
【００３６】
図２は、本実施形態に係る、貨幣入出金機２の構成を示す概略図である。
【００３７】
貨幣入出金機２は、外郭を構成する筐体１０内に、紙幣入出金ユニット１１と硬貨入出金ユニット１２とを備える。紙幣入出金ユニット１１は、筐体１０内の下側に設けられ、紙幣の入金処理、出金処理等を行う。硬貨入出金ユニット１２は、筐体１０内の上側に設けられ、硬貨を金種別に収納する複数の金種別収納トレイ（図示せず）を有し、金種別収納部に硬貨を入金する入金処理、金種別収納部から硬貨を出金する出金処理等を行う。
【００３８】
紙幣入出金ユニット１１は、入金部１１０と、出金部１２０と、リジェクト部１３０と、搬送部１４０と、識別部１５０と、紙幣揃え部１６０と、２つのカセット１７０と、カセット１７０用の２つの一時保留部１８０と、３つのスタッカ１９０と、スタッカ１９０用の３つ一時保留部２００とを備える。
【００３９】
入金部１１０は、入金繰出機構１１１を備える。入金繰出機構１１１は、入金部１１０に投入されたバラ紙幣を一枚ずつ搬送部１４０へ繰り出す。出金部１２０は、主に、スタッカ１９０から繰り出された紙幣を受け取る。リジェクト部１３０は、主に、識別部１５０により属性（真偽、金種、天地表裏等）が識別できず、正常な紙幣と見做されない紙幣を受け取る。
【００４０】
搬送部１４０は、ベルト機構、ローラー機構等により構成され、入金部１１０と、出金部１２０と、リジェクト部１３０と、カセット１７０と、スタッカ１９０との間で紙幣を搬送する。
【００４１】
識別部１５０は、搬送部１４０を流れる紙幣の属性を識別し、識別結果を後述する制御部に出力する。識別される属性には、紙幣の真偽および金種、紙幣の表裏の方向が含まれる。また、識別部１５０は、紙幣の枚数を計数する機能を有する。
【００４２】
紙幣揃え部１６０は、識別部１５０の前方、即ち、識別部１５０よりも出金時の紙幣の流れの下流側に配置される。紙幣揃え部１６０は、搬送部１４０の一部を構成する反転部１６１および非反転部１６２を含む。反転部１６１は、紙幣を表裏反転させ、非反転部１６２は、紙幣を現状の方向のまま通過させる。これにより、紙幣揃え部１６０を通過した各紙幣は、その表裏が揃えられる。
【００４３】
カセット１７０は、筐体１０から着脱可能であり、筐体１０の前面下部に設けられたドア（図示せず）を開放することにより、筐体１０の内部に出し入れすることができる。カセット１７０は、主に、スタッカ１９０から回収された紙幣やスタッカ１９０へ補充される紙幣を収納するために利用される。また、カセット１７０は、入金部１１０に投入された紙幣を計数し所定枚数のまとまりにして出金部１２０に払い出す計数整理処理やスタッカ１９０内の紙幣の自動精査を行う精査処理の際、紙幣を一時的に収納するために利用される。カセット１７０内には、紙幣が上下に積まれるように収納される。収納された紙幣を昇降するため、カセット１７０内に昇降ステージ１７０ａが設けられる。
【００４４】
カセット１７０用の一時保留部１８０は、対応するカセット１７０の上方に配置される。一時保留部１８０は、カセット１７０に収納される紙幣を一時的に保留する。一時保留部１８０の出入口側には繰出機構（図示せず）が設けられ、カセット１７０内の紙幣を、一時保留部１８０を通じて搬送部１４０に繰り出すことができる。
【００４５】
スタッカ１９０は、入金された紙幣を金種別に収納するために利用される。たとえば、３つのスタッカ１９０のそれぞれに対し、一万円、千円および５千円の金種が割り当てられ得る。スタッカ１９０内には、紙幣が上下に積まれるように収納される。収納された紙幣を昇降するため、スタッカ１９０内に昇降ステージ１９０ａが設けられる。
【００４６】
スタッカ１９０用の一時保留部２００は、対応するスタッカ１９０の上方に配置される。一時保留部２００は、スタッカ１９０に収納される紙幣を一時的に保留する。一時保留部２００の出入口側には繰出機構（図示せず）が設けられ、スタッカ１９０内の紙幣を、一時保留部２００を通じて搬送部１４０に繰り出すことができる。
【００４７】
図３は、本実施形態に係る、貨幣入出金機２の主たる構成を示すブロック図である。
【００４８】
貨幣入出金機２は、上述した紙幣入出金ユニット１１および硬貨入出金ユニット１２の他、制御部１３、記憶部１４、操作表示部１５および通信部１６を備える。
【００４９】
制御部１３は、ＣＰＵ（Central Processing Unit）等の演算回路を備え、記憶部１４に記憶された動作プログラムに従って、紙幣入出金ユニット１１の各構成部（入金繰出機構１１１、搬送部１４０、識別部１５０、紙幣揃え部１６０、カセット１７０、一時保留部１８０、スタッカ１９０、一時保留部２００等）および硬貨入出金ユニット１２の各構成部を制御する。
【００５０】
記憶部１４は、ＲＯＭ（Read Only Memory）、ＲＡＭ（Random Access Memory）やハードディスク等の記憶媒体を備え、制御部１３の動作プログラムを記憶し、また、制御部１３の制御処理の際にワーク領域として利用される。記憶部１４には、紙幣入出金ユニット１１の各スタッカ１９０内に収納された紙幣の枚数データが、各スタッカ１９０に割り当てられた金種に対応付けられて記憶される。紙幣の枚数データは、新たな入金処理や出金処理が行われると、その際に行われる識別部１５０での枚数の計数結果に応じて更新される。同様に、記憶部１４には、硬貨入出金ユニット１２の各金種別収納部に収納された硬貨の枚数データが、各金種別収納部に割り当てられた金種に対応付けられて記憶される。
【００５１】
操作表示部１５は、ディスプレイとタッチセンサとからなるタッチパネルで構成される。操作表示部１５は、ディスプレイに各種の画像（画面）を表示するとともに、ディスプレイに対するユーザのタッチ操作をタッチセンサにより検出する。操作表示部１５は、たとえば、筐体１０の上面の前端部に設けられる。
【００５２】
通信部１６は、出納機３の通信部(後述する)との間で、通信回線４を介した信号（情報）の送受信を行う。
【００５３】
図４は、本実施形態に係る、出納機３の外観を示す斜視図である。
【００５４】
出納機３は、紙幣処理機２０と、硬貨処理機３０と、操作端末４０と、プリンタ５０とを備える。
【００５５】
操作端末４０と、紙幣処理機２０、硬貨処理機３０およびプリンタ５０とは、たとえば、通信ケーブル（図示せず）で接続される。なお、このような有線方式ではなく無線方式による接続がなされてもよい。
【００５６】
紙幣処理機２０は、外郭を構成する筐体２１を備える。筐体２１の正面には、中央部に入金口２２および出金口２３が上下に並んで設けられ、上部に束出金口２４が設けられる。出金口２３は、上下開きのシャッター２３ａによって開閉され、束出金口２４は、左右開きのシャッター２４ａにより開閉される。入金口２２にはバラ紙幣が投入され、出金口２３にはバラ紙幣が払い出される。束出金口２４には、束紙幣が払い出される。束紙幣は、所定の枚数（たとえば、１００枚の）紙幣が帯封によって結束されることにより生成される。さらに、筐体２１の正面には、下部に扉２５が設けられる。
【００５７】
図５は、本実施形態に係る、紙幣処理機２０の内部構成を示す概要図である。
【００５８】
紙幣処理機２０は、入金部３１０と、入金リジェクト部３２０と、出金部３３０と、束出金部３４０と、搬送部３５０と、識別部３６０と、表裏揃え部３７０と、一時保留部３８０と、一括収納部３９０と、３つの金種別収納部４００と、２つの集積部４１０と、結束部４２０と、揚送部４３０と、束搬送部４４０と、４つの束金種別収納部４５０とを備える。
【００５９】
入金部３１０は、入金口２２に設けられる。入金部３１０は、繰出機構を備え、投入されたバラ紙幣を一枚ずつ搬送部３５０へ繰り出す。入金リジェクト部３２０および出金部３３０は、出金口２３に設けられる。入金リジェクト部３２０は、主に、識別部３６０により属性（真偽、金種、表裏等）が識別できず、正常な紙幣と見做されない紙幣を受け取る。出金部３３０は、主に、一時保留部３８０から返却された紙幣や金種別収納部４００から繰り出された紙幣を受け取る。束出金部３４０は、束出金口２４に設けられ、主に、束金種別収納部４５０から繰り出された束紙幣を受け取る。
【００６０】
搬送部３５０は、入金部３１０と、入金リジェクト部３２０と、出金部３３０と、一時保留部３８０と、一括収納部３９０と、３つの金種別収納部４００と、２つの集積部４１０との間に巡らされ、これらの間で紙幣の搬送を行う。
【００６１】
識別部３６０は、搬送部３５０を流れる紙幣の属性を識別し、識別結果を後述する機器制御部に出力する。識別される属性には、紙幣の真偽および金種、紙幣の表裏の方向が含まれる。
【００６２】
表裏揃え部３７０は、搬送部３５０の一部を構成する反転部３７１および非反転部３７２を含み、搬送部３５０を流れる紙幣の表裏を揃える。
【００６３】
一時保留部３８０は、入金部３１０に投入され、識別部３６０により属性が識別された正常な紙幣を、一時的に保留する。一時保留部３８０は、繰出機構を備えており、保留された紙幣を搬送部３５０へ繰り出すことができる。
【００６４】
一括収納部３９０は、一時保留部３８０から繰り出された紙幣であって、識別部３６０により金種が識別できなかった紙幣や、２千円札など、金種別収納部４００が割り当てられていない紙幣や、対応する金種別収納部４００に収納しきれなかったオーバーフロー紙幣等を収納する。
【００６５】
金種別収納部４００には、一時保留部３８０から繰り出された紙幣であって、識別部３６０により金種が識別された紙幣が、金種ごとに振り分けて収納される。たとえば、３つの金種別収納部４００のそれぞれに対し、１万円、千円および５千円の金種が割り当てられる。金種別収納部４００は、繰出機構を備えており、収納された紙幣を搬送部３５０へ繰り出すことができる。
【００６６】
集積部４１０は、搬送部３５０により搬送された紙幣を、帯封により結束される結束単位となる所定の枚数、たとえば、１００枚となるまで集積する。結束部４２０は、アーム機構、結束機構および搬送機構を備え、集積部４１０に集積された紙幣の束をアーム機構により取り出し、取り出した紙幣の束に、結束機構により帯封を掛けて束紙幣を生成し、生成した束紙幣を搬送機構により揚送部４３０へ送り込む。
【００６７】
揚送部４３０は、上下方向に搬送路が形成されるとともに搬送路内にリフト機構を備え、結束部４２０から送り込まれた束紙幣をリフト機構によって揚送部４３０の上部に配置された束搬送部４４０へ送る。束搬送部４４０は、揚送部４３０から送られてきた束紙幣を、４つの束金種別収納部４５０のうち、その束紙幣の金種に対応する束金種別収納部４５０へ搬送する。また、束搬送部４４０は、各束金種別収納部４５０から繰り出された束紙幣を束出金部３４０へ搬送する。
【００６８】
４つの束金種別収納部４５０は、それぞれに割り当てられた金種の束紙幣を収納する。たとえば、２つの束金種別収納部４５０に１万円の金種が割り当てられ、残りの２つの束金種別収納部４５０に、千円および５千円の金種が割り当てられる。束金種別収納部４５０は、繰出機構を備えており、収納された束紙幣を束搬送部４４０へ繰り出すことができる。
【００６９】
図４に戻り、硬貨処理機３０は、外郭を構成する筐体３０ａを備える。筐体３０ａの上面には、入金口３１が設けられる。また、筐体３０ａの正面には、左側に入金リジェクト口３２、バラ一括箱３３、返却箱３４、出金箱３５および袋取りシュート３６が設けられ、右側に包装硬貨出金口３７、包装硬貨一括箱３８および機外投出口３９が設けられる。バラ一括箱３３、返却箱３４、出金箱３５、袋取りシュート３６および包装硬貨一括箱３８は、筐体３０ａから前方に引き出し自在に構成される。硬貨処理機３０の内部には、図示しないバラ硬貨一時保留部、バラ硬貨収納部、包装硬貨生成部および包装硬貨収納部が設けられる。
【００７０】
入金時には、バラ硬貨が入金口３１に投入される。投入されたバラ硬貨は、一枚ずつ繰り出されて識別され、正常な硬貨でない場合は、入金リジェクト口３２に返却され、正常な硬貨である場合は、バラ硬貨一時保留部に一時的に収納される。バラ硬貨一時保留部内のバラ硬貨は、承認操作がなされるとバラ硬貨収納部に収納され、返却操作がなされると返却箱３４に返却される。バラ硬貨収納部にバラ硬貨が収納しきれなくなった場合、オーバーフローしたバラ硬貨がバラ一括箱３３に収納される。
【００７１】
出金時には、バラ硬貨収納部内のバラ硬貨が出金箱３５に払い出される。バラ硬貨を出金して袋詰めする場合には、筐体３０ａから引き出された袋取りシュート３６に現金袋が接続され、バラ硬貨収納部内のバラ硬貨が袋取りシュート３６を通じて現金袋に投出される。
【００７２】
包装硬貨を生成する場合、入金口３１に投入されたバラ硬貨が包装硬貨生成部に送られる。包装硬貨生成部では、棒状に重ねられた複数枚（たとえば、５０枚）のバラ硬貨が包装材で包装されることにより、包装硬貨が生成される。生成された包装硬貨は、包装硬貨収納部に収納されるか包装硬貨出金口３７に払い出される。包装硬貨が大量に払い出される場合には、機外投出口３９が利用される。この場合、機外投出口３９の下方に包装硬貨を受ける現金箱等が置かれる。包装硬貨収納部に包装硬貨が収納しきれなくなった場合、オーバーフローした包装硬貨が包装硬貨一括箱３８に収納される。
【００７３】
硬貨処理機３０の上部に、操作端末４０とプリンタ５０とが配置される。操作端末４０には、正面に操作表示部５１０が設けられる。操作表示部５１０は、操作のための画面を表示するとともに、表示された画面への操作を受け付ける。プリンタ５０は、入出金された紙幣の枚数、金額等、処理結果の情報を、ジャーナルとして用紙に印字する。
【００７４】
図６は、本実施形態に係る、出納機３の主たる構成を示すブロック図である。
【００７５】
紙幣処理機２０は、上述した各部３１０〜４５０の他、機器制御部４６０および機器記憶部４７０を備える。
【００７６】
機器制御部４６０は、ＣＰＵ（Central Processing Unit）等の演算回路を備え、機器記憶部４７０に記憶されたプログラムに従って、各部３１０〜４５０を制御する。機器記憶部４７０は、ＲＯＭ（Read Only Memory）、ＲＡＭ（Random Access Memory）やハードディスク等の記憶媒体を備え、機器制御部４６０の動作プログラムを記憶し、また、機器制御部４６０の制御処理の際にワーク領域として利用される。
【００７７】
操作端末４０は、上述した操作表示部５１０の他、端末制御部５２０、端末記憶部５３０および通信部５４０を備える。
【００７８】
操作表示部５１０は、ディスプレイ５１１とタッチセンサ５１２とからなるタッチパネルで構成される。ディスプレイ５１１は、各種の画像（画面）を表示する。タッチセンサ５１２は、ディスプレイ５１１に重ねられディスプレイ５１１に対するユーザのタッチ操作を検出する。
【００７９】
端末制御部５２０は、ＣＰＵ等の演算回路を備え、端末記憶部５３０に記憶されたプログラムに従って、操作表示部５１０、プリンタ５０等を制御する。また、端末制御部５２０は、紙幣処理機２０の機器制御部４６０および硬貨処理機３０の機器制御部（図示せず）との間で、各種情報（指令を含む）のやり取りを行う。
【００８０】
端末記憶部５３０は、ＲＯＭ、ＲＡＭやハードディスク等の記憶媒体を備え、端末制御部５２０の動作プログラムを記憶し、また、端末制御部５２０の制御処理の際にワーク領域として利用される。
【００８１】
通信部５４０は、貨幣入出金機２の通信部１６との間で、通信回線４を介した信号（情報）の送受信を行う。
【００８２】
さて、上述の通り、貨幣処理システム１では、貨幣入出金機２に補充される貨幣が出納機３から出金され、貨幣入出金機２から回収された貨幣が出納機３に入金される。これら補充や回収の際、従来のように、テラー自らが出納機３へ出向き、補充する貨幣の出金や回収した貨幣の入金を行うようにした場合、その間、テラーによる窓口業務が長く中断されてしまう虞がある。
【００８３】
そこで、本実施形態の貨幣処理システム１では、貨幣入出金機２の貨幣の残量を監視し、貨幣の不足や超過が発生した場合に、出納機３側において貨幣の不足や超過が発生した旨が通知されることで、テラーとは別の係員が貨幣の補充や回収に関わることが可能となる残量監視・補充処理および残量監視・回収処理が実行される。
【００８４】
以下、貨幣入出金機２のスタッカ１９０に収納される紙幣の補充および回収を例にとって、残量監視・補充処理および残量監視・回収処理について説明するが、貨幣入出金機２の金種別収納部に収納される硬貨の補充および回収に関しても、同様に、残量監視・補充処理および残量監視・回収処理が実行される。
【００８５】
まず、残量監視・補充処理について、図７ないし図１０を参照して説明する。
【００８６】
図７は、本実施形態に係る、貨幣入出金機２側で行われる残量監視・補充処理の制御動作を示すフローチャートである。図８（ａ）は、本実施形態に係る、警告アイコンＩＣ１１が表示された待機画面Ｓ１１を示す図であり、図８（ｂ）は、本実施形態に係る、対応中アイコンＩＣ１２が表示された待機画面Ｓ１１を示す図であり、図８（ｃ）は、本実施形態に係る、補充開始画面Ｓ１２を示す図である。図９は、本実施形態に係る、出納機３側で行われる残量監視・補充処理の制御動作を示すフローチャートである。図１０（ａ）は、本実施形態に係る、警告アイコンＩＣ２１が表示された待機画面Ｓ２１を示す図であり、図１０（ｂ）は、本実施形態に係る、選択画面Ｓ２２を示す図であり、図１０（ｃ）は、本実施形態に係る、出金開始画面Ｓ２３を示す図である。
【００８７】
図７を参照し、貨幣入出金機２側において処理が開始されると、制御部１３は、定期的に記憶部１４から全てのスタッカ１９０内の紙幣の枚数データを読み出し、読み出した紙幣の枚数データをその紙幣の金種データに対応付けて通信部１６を通じて出納機３へ送信する（Ｓ１０１）。この際、制御部１３は、貨幣入出金機２を識別するため識別情報（たとえば、機器に付された機器番号データ）を合わせて出納機３へ送信する。なお、制御部１３は、定期的に記憶部１４から全てのスタッカ１９０内の紙幣の枚数データを読み出して送信するのではなく、枚数が更新されたスタッカ１９０内の枚数データのみを読み出して送信するようにしてもよい。
【００８８】
制御部１３は、読み出した枚数データが、スタッカ１９０内がニアエンプティ状態であることを示す下限側の閾値を下回ったか否かを判定することにより、何れかのスタッカ１９０にニアエンプティ状態（紙幣の不足状態）が発生したか否かを判定する（Ｓ１０２）。下限側の閾値となる枚数は、たとえば、スタッカ１９０内が空になるまでに平均的な枚数の出金が予め定めた回数だけ行えるような枚数とされる。
【００８９】
何れかのスタッカ１９０にニアエンプティ状態が発生すると（Ｓ１０２：ＹＥＳ）、制御部１３は、ニアエンプティ用の警告アイコンＩＣ１１を操作表示部１５に表示させることにより、スタッカ１９０内がニアエンプティ状態にあることを警告する（Ｓ１０３）。たとえば、図８（ａ）のように、操作表示部１５に待機画面Ｓ１１が表示されている場合、その待機画面Ｓ１１の所定領域に警告アイコンＩＣ１１が表示される。
【００９０】
その後、制御部１３は、紙幣の枚数データの読み出しと送信とを継続しながら（Ｓ１０４）、出納機３からの補充データが通信部１６に受信されるのを待つ（Ｓ１０５）。補充データは、出納機３から出金された紙幣の金種データと枚数データとを含む。補充データに合計金額データが含まれてもよい。
【００９１】
制御部１３は、出納機３からの補充データを待つ間、ニアエンプティ状態にあるスタッカ１９０に、さらにエンプティ状態（紙幣が無い状態）が発生したか否かを判定する。（Ｓ１０６）。記憶部１４から読み出した枚数データが「０」を示す場合に、制御部１３は、スタッカ１９０にエンプティ状態が発生したと判定する。エンプティ状態が発生すると（Ｓ１０６：ＹＥＳ）、制御部１３は、警告アイコンＩＣ１１を強調表示する、たとえば、点滅させたり拡大させたりすることにより、スタッカ１９０内がエンプティ状態にあることを警告する（Ｓ１０７）。なお、警告アイコンＩＣ１１を、このアイコンとは形状や表示が異なるエンプティ用の警告アイコンに置き換えるようにしてもよい。
【００９２】
警告アイコンＩＣ１１が操作表示部１５に表示された段階において、貨幣入出金機２側では、テラーによって、貨幣が不足したスタッカ１９０への貨幣の補充は行われない。
【００９３】
次に、図９を参照し、出納機３側において処理が開始されると、端末制御部５２０は、通信部５４０が各貨幣入出金機２からの枚数データを受信したか否かを判定する（Ｓ２０１）。各貨幣入出金機２からの枚数データが受信されると（Ｓ２０１：ＹＥＳ）、端末制御部５２０は、貨幣入出金機２ごとに、受信した枚数データが上述の下限側の閾値を下回ったか否かを判定することにより、何れかの貨幣入出金機２の何れかのスタッカ１９０にニアエンプティ状態（紙幣の不足状態）が発生したか否かを判定する（Ｓ２０２）。
【００９４】
何れかの貨幣入出金機２の何れかのスタッカ１９０にニアエンプティ状態が発生したと判定すると（Ｓ２０２：ＹＥＳ）、端末制御部５２０は、ニアエンプティ用の警告アイコンＩＣ２１を操作表示部５１０に表示させることにより、貨幣入出金機２のスタッカ１９０内がニアエンプティ状態にあることを警告する（Ｓ２０３）。たとえば、図１０（ａ）のように、操作表示部５１０に待機画面Ｓ２１が表示されている場合、その待機画面Ｓ２１の所定領域に警告アイコンＩＣ２１が表示される。警告アイコンＩＣ２１は、警告機能（通知機能）だけでなく、ショートカットボタンとしての機能も有する。なお、このとき、枚数データとともに受信した識別情報によって、端末制御部５２０は、ニアエンプティ状態が発生した貨幣入出金機２を特定することができる。
【００９５】
その後、端末制御部５２０は、紙幣の枚数データの受信を継続しながら（Ｓ２０４）、警告アイコンＩＣ２１が押されるのを待つ（Ｓ２０５）。端末制御部５２０は、警告アイコンＩＣ２１の押下を待つ間、ニアエンプティ状態にあるスタッカ１９０に、さらにエンプティ状態（紙幣が無い状態）が発生したか否かを判定する。（Ｓ２０６）。受信した枚数データが「０」を示す場合に、端末制御部５２０は、スタッカ１９０にエンプティ状態が発生したと判定する。エンプティ状態が発生すると（Ｓ２０６：ＹＥＳ）、端末制御部５２０は、警告アイコンＩＣ２１を強調表示する、たとえば、点滅させたり拡大させたりすることにより、スタッカ１９０内がエンプティ状態にあることを警告する（Ｓ２０７）。なお、警告アイコンＩＣ２１を、このアイコンとは形状や表示が異なるエンプティ用の警告アイコンに置き換えるようにしてもよい。
【００９６】
出納機３を取り扱う係員（以下、「出納係」という）が、操作表示部５１０に警告アイコンＩＣ２１が表示されていることに気づくと、出納係によって、警告アイコンＩＣ２１が押される。
【００９７】
警告アイコンＩＣ２１が押されると（Ｓ２０５：ＹＥＳ）、端末制御部５２０は、ニアエンプティ状態（エンプティ状態）にあるスタッカ１９０について、そのスタッカ１９０内の最新の枚数データと、そのスタッカ１９０で予め設定されている標準収納枚数（最初に収納しておく枚数）とから補充枚数を算出するとともに（Ｓ２０８）、操作表示部５１０に選択画面Ｓ２２を表示させる（Ｓ２０９）。
【００９８】
標準収納枚数は、固定されていてもよいし、日付、曜日、時間帯などに応じて変動してもよい。たとえば、入金の繁忙期には標準収納枚数が少ない値に変更され、出金の繁忙期には標準収納枚数が多い値に変更される。
【００９９】
図１０（ｂ）に示すように、選択画面Ｓ２２では、出納機３と接続された貨幣入出金機２からなる機器一覧Ｌ２１が表示され、貨幣入出金機２毎に、貨幣量の状態が表示される。端末制御部５２０は、ニアエンプティ状態にあると特定した貨幣入出金機２の機器名の隣に「ニアエンプティ」の表示を行い、ニアエンプティ状態にない貨幣入出金機２の機器名の隣に「正常」の表示を行う。また、選択画面Ｓ２２には、確定ボタンＢ２１が設けられる。
【０１００】
出納係は、機器一覧Ｌ２１から、ニアエンプティ状態の貨幣入出金機２を把握すると、その貨幣入出金機２の項目にタッチしてこれを選択し、確定ボタンＢ２１を押す。これにより、ニアエンプティ状態の貨幣入出金機２の選択が完了する。
【０１０１】
選択が完了すると（Ｓ２１０：ＹＥＳ）、端末制御部５２０は、出金開始画面Ｓ２３を操作表示部５１０に表示させる（Ｓ２１１）。
【０１０２】
図１０（ｃ）に示すように、出金開始画面Ｓ２３には、ニアエンプティ状態の貨幣入出金機２に補充するために出金される紙幣の金種と枚数が表示される。このときに表示される紙幣の枚数は、Ｓ２０８で算出された補充枚数である。また、出金開始画面Ｓ２３には、開始ボタンＢ２２が設けられる。
【０１０３】
出納係は、出金される紙幣の金種と枚数を確認した後に、開始ボタンＢ２２を押す。開始ボタンＢ２２の押下による開始操作がなされると（Ｓ２１２：ＹＥＳ）、端末制御部５２０は、紙幣処理機２０の機器制御部４６０に、出金する紙幣の金種と枚数のデータを送るとともに出金の指令を行い、これを受けた機器制御部４６０が、出金処理を行う（Ｓ２１３）。紙幣処理機２０では、該当する金種の金種別収納部４００から補充枚数分の紙幣が繰り出され、繰り出された紙幣が搬送部３５０で搬送されて出金部３３０に払い出される。
【０１０４】
出金が完了すると、その旨が機器制御部４６０から端末制御部５２０に通知される。出金完了の通知を受けると、端末制御部５２０は、補充データとして、今回、出金した紙幣の金種データと枚数データを、通信部５４０を通じて、該当する貨幣入出金機２に送信する（Ｓ２１４）。
【０１０５】
出納係は、紙幣処理機２０の出金口２３から出金された紙幣の束を取り出し、該当する貨幣入出金機２まで持参する。
【０１０６】
図７に戻り、貨幣入出金機２側において、出納機３からの補充データが通信部１６に受信されると（Ｓ１０５：ＹＥＳ）、制御部１３は、図８（ｂ）のように、操作表示部１５に、警告アイコンＩＣ１１に替えて、出納機３側で補充のための対応が既に行われていることを示す対応中アイコンＩＣ１２を表示させる（Ｓ１０８）。これにより、テラーは、補充する紙幣がまもなく出納係によって持参されることを把握できる。
【０１０７】
やがて出納係が補充する紙幣を、該当する貨幣入出金機２まで持参すると、その貨幣入出金機２では、出納係またはテラーによって所定の補充操作が行われ、この補充操作に応じて（Ｓ１０９：ＹＥＳ）、制御部１３は、操作表示部１５に補充開始画面Ｓ１２を表示させる（Ｓ１１０）。
【０１０８】
図８（ｃ）に示すように、補充開始画面Ｓ１２には、補充データとして受け取った、補充される紙幣の金種と枚数が表示される。また、補充開始画面Ｓ１２には、開始ボタンＢ１１が設けられる。
【０１０９】
テラーまたは出納係は、補充される紙幣の束を、貨幣入出金機２の入金部１１０に投入した後に、開始ボタンＢ１１を押す。開始ボタンＢ１１の押下による開始操作がなされると（Ｓ１１１：ＹＥＳ）、制御部１３は、補充処理を行う（Ｓ１１２）。貨幣入出金機２では、入金部１１０から紙幣が繰り出され、搬送部１４０で搬送されて該当する金種のスタッカ１９０内に収納される。
【０１１０】
こうして、貨幣入出金機２への紙幣の補充が完了すると、残量監視・補充処理が終了する。その後、貨幣入出金機２は待機状態に戻る。
【０１１１】
次に、残量監視・回収処理について、図１１ないし図１４を参照して説明する。
【０１１２】
図１１は、本実施形態に係る、貨幣入出金機２側で行われる残量監視・回収処理の制御動作を示すフローチャートである。図１２（ａ）は、本実施形態に係る、警告アイコンＩＣ１３が表示された待機画面Ｓ１１を示す図であり、図１２（ｂ）は、本実施形態に係る、対応中アイコンＩＣ１４が表示された待機画面Ｓ１１を示す図であり、図１２（ｃ）は、本実施形態に係る、回収開始画面Ｓ１３を示す図である。図１３は、本実施形態に係る、出納機３側で行われる残量監視・回収処理の制御動作を示すフローチャートである。図１４（ａ）は、本実施形態に係る、警告アイコンＩＣ２２が表示された待機画面Ｓ２１を示す図であり、図１４（ｂ）は、本実施形態に係る、待機画面Ｓ２１上に詳細情報ウィンドウＷ２１がポップアップ表示された状態を示す図である。図１４（ｃ）は、本実施形態に係る、詳細確認画面Ｓ２４を示す図であり、図１４（ｄ）は、本実施形態に係る、入金開始画面Ｓ２５を示す図である。
【０１１３】
図１１を参照し、貨幣入出金機２側において処理が開始されると、制御部１３は、定期的に記憶部１４から全てのスタッカ１９０内の紙幣の枚数データを読み出し、読み出した紙幣の枚数データをその紙幣の金種データに対応付けて通信部１６を通じて出納機３へ送信する（Ｓ３０１）。なお、残量監視・補充処理のＳ１０１の処理が、このＳ３０１の処理を兼ねる。
【０１１４】
制御部１３は、読み出した枚数データが、スタッカ１９０内がニアフル状態であることを示す上限側の閾値を上回ったか否かを判定することにより、何れかのスタッカ１９０にニアフル状態（紙幣の超過状態）が発生したか否かを判定する（Ｓ３０２）。上限側の閾値となる枚数は、たとえば、スタッカ１９０内に紙幣が収まりきらなくなるまでに平均的な枚数の入金が予め定めた回数だけ行えるような枚数とされる。
【０１１５】
何れかのスタッカ１９０にニアフル状態が発生すると（Ｓ３０２：ＹＥＳ）、制御部１３は、ニアフル用の警告アイコンＩＣ１３を操作表示部１５に表示させることにより、スタッカ１９０内がニアフル状態にあることを警告する（Ｓ３０３）。たとえば、図１２（ａ）のように、操作表示部１５に待機画面Ｓ１１が表示されている場合、その待機画面Ｓ１１の所定領域に警告アイコンＩＣ１３が表示される。
【０１１６】
その後、制御部１３は、紙幣の枚数データの読み出しと送信とを継続しながら（Ｓ３０４）、出納機３からの回収データが通信部１６に受信されるのを待つ（Ｓ３０５）。回収データは、貨幣入出金機２から回収される紙幣の金種データと枚数データとを含む。回収データに合計金額データが含まれてもよい。
【０１１７】
制御部１３は、出納機３からの回収データを待つ間、ニアフル状態にあるスタッカ１９０に、さらにフル状態（紙幣が満杯の状態）が発生したか否かを判定する。（Ｓ３０６）。記憶部１４から読み出した枚数データが満杯のときの枚数を示す場合に、制御部１３は、スタッカ１９０にフル状態が発生したと判定する。フル状態が発生すると（Ｓ３０６：ＹＥＳ）、制御部１３は、警告アイコンＩＣ１３を強調表示する、たとえば、点滅させたり拡大させたりすることにより、スタッカ１９０内がフル状態にあることを警告する（Ｓ３０７）。なお、警告アイコンＩＣ１３を、このアイコンとは形状や表示が異なるフル用の警告アイコンに置き換えるようにしてもよい。
【０１１８】
警告アイコンＩＣ１３が操作表示部１５に表示された段階において、貨幣入出金機２側では、テラーによって、貨幣が超過したスタッカ１９０からの貨幣の回収は行われない。
【０１１９】
次に、図１３を参照し、出納機３側において処理が開始されると、端末制御部５２０は、通信部５４０が各貨幣入出金機２からの枚数データを受信したか否かを判定する（Ｓ４０１）。なお、残量監視・回収処理のＳ２０１の処理が、このＳ４０１の処理を兼ねる。
【０１２０】
各貨幣入出金機２からの枚数データが受信されると（Ｓ４０１：ＹＥＳ）、端末制御部５２０は、貨幣入出金機２ごとに、受信した枚数データが上述の上限側の閾値を上回ったか否かを判定することにより、何れかの貨幣入出金機２の何れかのスタッカ１９０にニアフル状態（紙幣の超過状態）が発生したか否かを判定する（Ｓ４０２）。
【０１２１】
何れかの貨幣入出金機２の何れかのスタッカ１９０にニアフル状態が発生したと判定すると（Ｓ４０２：ＹＥＳ）、端末制御部５２０は、ニアフル用の警告アイコンＩＣ２２を操作表示部５１０に表示させることにより、貨幣入出金機２のスタッカ１９０内がニアフル状態にあることを警告する（Ｓ４０３）。たとえば、図１４（ａ）のように、操作表示部５１０に待機画面Ｓ２１が表示されている場合、その待機画面Ｓ２１の所定領域に警告アイコンＩＣ２２が表示される。警告アイコンＩＣ２２は、警告機能（通知機能）だけでなく、ショートカットボタンとしての機能も有する。なお、このとき、枚数データとともに受信した識別情報によって、端末制御部５２０は、ニアフル状態が発生した貨幣入出金機２を特定することができる。
【０１２２】
その後、端末制御部５２０は、紙幣の枚数データの受信を継続しながら（Ｓ４０４）、警告アイコンＩＣ２２が押されるのを待つ（Ｓ４０５）。端末制御部５２０は、警告アイコンＩＣ２２の押下を待つ間、ニアフル状態にあるスタッカ１９０に、さらにフル状態（紙幣が満杯の状態）が発生したか否かを判定する。（Ｓ４０６）。受信した枚数データが満杯のときの枚数を示す場合に、端末制御部５２０は、スタッカ１９０にフル状態が発生したと判定する。フル状態が発生すると（Ｓ４０６：ＹＥＳ）、端末制御部５２０は、警告アイコンＩＣ２２を強調表示する、たとえば、点滅させたり拡大させたりすることにより、スタッカ１９０内がフル状態にあることを警告する（Ｓ４０７）。なお、警告アイコンＩＣ２２を、このアイコンとは形状や表示が異なるフル用の警告アイコンに置き換えるようにしてもよい。
【０１２３】
出納係が、操作表示部５１０に警告アイコンＩＣ２２が表示されていることに気づくと、出納係によって、警告アイコンＩＣ２２が押される。
【０１２４】
警告アイコンＩＣ２２が押されると（Ｓ４０５：ＹＥＳ）、端末制御部５２０は、ニアフル状態（フル状態）にあるスタッカ１９０について、そのスタッカ１９０内の最新の枚数データと、そのスタッカ１９０で予め設定されている標準収納枚数（最初に収納しておく枚数）とから回収枚数を算出するとともに（Ｓ４０８）、操作表示部５１０に詳細情報ウィンドウＷ２１を表示させる（Ｓ４０９）。操作表示部５１０に待機画面Ｓ２１が表示されている場合、待機画面Ｓ２１に重なるように、詳細情報ウィンドウＷ２１がポップアップ表示される。
【０１２５】
図１４（ｂ）に示すように、詳細情報ウィンドウＷ２１には、ニアフル状態にある貨幣入出金機２を特定するための情報である機器名（機器番号）および回収が必要な紙幣の金種名が含まれた、紙幣の回収を促すメッセージ情報が表示される。また、詳細情報ウィンドウＷ２１には、ＯＫボタンＢ２３が設けられる。
【０１２６】
出納係は、ニアフル状態の貨幣入出金機２と回収する紙幣の金種を把握すると、確認操作としてＯＫボタンＢ２３を押す。
【０１２７】
確認操作がなされると（Ｓ４１０：ＹＥＳ）、端末制御部５２０は、回収データを該当する貨幣入出金機２へ送信する（Ｓ４１１）。回収データは、回収されるべき紙幣の金種別枚数データが含まれるとともに、回収が必要となっていることを出納係が確認した旨を知らせる情報として作用する。続いて、端末制御部５２０は、詳細確認画面Ｓ２４を操作表示部５１０に表示させる（Ｓ４１２）。
【０１２８】
図１４（ｃ）に示すように、詳細確認画面Ｓ２４には、ニアフル状態の貨幣入出金機２から回収される紙幣の金種と枚数が表示される。このときに表示される紙幣の枚数は、Ｓ４０８で算出された回収枚数である。また、詳細確認画面Ｓ２４には、確認ボタンＢ２４が設けられる。
【０１２９】
確認ボタンＢ２４の押下による確認操作がなされると（Ｓ４１３：ＹＥＳ）、端末制御部５２０は、待機状態に戻り、入金操作を待つ（Ｓ４１４）。このとき、操作表示部５１０に回収データに対応するアイコンが表示され、このアイコンへの押下が入金操作となる。
【０１３０】
こうして、出納機３側では貨幣入出金機２から回収された紙幣の入金を待つ状態となる。出納係は、回収された紙幣を出納機３に持ってくるため、紙幣が回収される貨幣入出金機２に向かう。
【０１３１】
図１１に戻り、貨幣入出金機２側において、出納機３からの回収データが通信部１６に受信されると（Ｓ３０５：ＹＥＳ）、制御部１３は、図１２（ｂ）のように、操作表示部１５に、警告アイコンＩＣ１３に替えて、出納機３側で回収のための対応が既に行われていることを示す対応中アイコンＩＣ１４を表示させる（Ｓ３０８）。これにより、テラーは、回収された紙幣を出納機３まで運ぶために出納係が来ることを把握できる。
【０１３２】
やがて出納係が該当する貨幣入出金機２まで来ると、その貨幣入出金機２では、出納係またはテラーによって所定の回収操作が行われ、この回収操作に応じて（Ｓ３０９：ＹＥＳ）、制御部１３は、操作表示部１５に回収開始画面Ｓ１３を表示させる（Ｓ３１０）。
【０１３３】
図１２（ｃ）に示すように、回収開始画面Ｓ１３には、回収データとして受け取った、回収すべき紙幣の金種と枚数が表示される。また、回収開始画面Ｓ１３には、開始ボタンＢ１２が設けられる。
【０１３４】
テラーまたは出納係は、回収される紙幣の金種と枚数を確認した後に、開始ボタンＢ１２を押す。開始ボタンＢ１２の押下による開始操作がなされると（Ｓ３１１：ＹＥＳ）、制御部１３は、回収処理を行う（Ｓ３１２）。貨幣入出金機２では、回収される金種に割り当てられたスタッカ１９０から紙幣が繰り出され、搬送部１４０で搬送されて出金部１２０に払い出される。
【０１３５】
こうして、紙幣が回収されると、出納係は、回収された紙幣を出納機３まで持参する。そして、出納係は、出納機３において、紙幣処理機２０の入金口２２に紙幣を投入し、操作表示部５１０に表示された回収データに対応するアイコンを押す。
【０１３６】
図１３に戻り、アイコンの押下による入金操作がなされると（Ｓ４１４：ＹＥＳ）、端末制御部５２０は、図１４（ｄ）のように、操作表示部５１０に入金開始画面Ｓ２５を表示させる（Ｓ４１５）。
【０１３７】
出納係は、入金開始画面Ｓ２５に表示された紙幣の金種と枚数を確認した後に、入金開始画面Ｓ２５に含まれる開始ボタンＢ２５を押す。
【０１３８】
開始ボタンＢ２５の押下による開始操作がなされると（Ｓ４１６：ＹＥＳ）、端末制御部５２０は、紙幣処理機２０の機器制御部４６０に、入金する紙幣の金種と枚数のデータを送るとともに入金の指令を行い、これを受けた機器制御部４６０が、入金処理を行う（Ｓ４１７）。紙幣処理機２０では、入金部３１０から紙幣が繰り出され、繰り出された紙幣が搬送部３５０で搬送され、一時保留部３８０での一時的な保留を経た後に、対応する金種別収納部４００に収納される。
【０１３９】
こうして、紙幣処理機２０への紙幣の入金が完了すると、残量監視・回収処理が終了する。
【０１４０】
さて、貨幣処理システム１では、一日の取引業務が終了すると、各貨幣入出金機２において、記憶部１４で管理された貨幣入出金機２内の在高データ（貨幣の数量データおよび金額データ）が、実際の在高（貨幣の数量および金額）と一致するかを確かめる精査処理が行われる。
【０１４１】
出納機３では、精査監視処理が行われ、各貨幣入出金機２での精査処理の状況が監視される。また、出納機３では、一日の取引業務が終了すると締め処理が行われ、この締め処理において、全ての貨幣入出金機２で精査処理が完了していることを条件に、出納機３側で管理される、その日の各貨幣入出金機２の在高データに係るデータクリア処理が行われる。データクリア処理は、当日の在高データを記憶する当日記憶領域内の有高データを他の記憶領域に移した後に、当日記憶領域をクリアする処理である。
【０１４２】
ところで、各貨幣入出金機２側での精査処理は各テラーの操作により行われ、出納機３側での締め処理は出納係の操作により行われる。このため、各貨幣入出金機２側での精査処理が完了したタイミングと、出納機３側での締め処理が行われるタイミングとの間には、ある程度の時間のズレが生じる。よって、各貨幣入出金機２側での精査処理が完了してから出納機３側での締め処理が行われるまでの間に、各貨幣入出金機２側で、その在高が保証できなくなるようなエラーが生じる場合があり得る。エラー内容として、たとえば、貨幣入出金機２においてドアが開閉される、入出金処理が行われる、電源がオフされるなどの出来事が挙げられる。このようなエラーが生じた場合、そのまま、締め処理においてデータクリア処理が行われることは望ましくない。
【０１４３】
そこで、本実施形態の貨幣処理システム１は、各貨幣入出金機２側で、その在高が保証できなくなった場合に、締め処理において、再度、精査処理を行うことができるような構成が採られる。
【０１４４】
まず、出納機３で行われる精査監視処理について説明する。
【０１４５】
図１５（ａ）は、本実施形態に係る、精査監視処理の制御動作を示すフローチャートであり、１５（ｂ）は、本実施形態に係る、管理テーブル５３０ａで各貨幣入出金機２での精査処理の状況が管理される様子を示す図である。
【０１４６】
操作端末４０の端末記憶部５３０には、各貨幣入出金機２での精査処理の状況が管理される管理テーブル５３０ａが備えられる。図１５（ｂ）に示すように、管理テーブル５３０ａには、各貨幣入出金機２の機器番号に対応付けて精査処理の完了の有無と、精査処理の完了時刻とが登録される。
【０１４７】
端末制御部５２０は、各貨幣入出金機２の制御部１３から精査処理の完了通知があったか否かが監視する（Ｓ５０１）。そして、精査処理の完了通知があると、端末制御部５２０は、完了通知があった貨幣入出金機２について、精査完了の登録を行う（Ｓ５０２）。即ち、端末制御部５２０は、管理テーブル５３０ａにおいて、該当する貨幣入出金機２の機器番号に対応する精査状況の欄に完了の旨の登録を行い、完了時刻の欄に完了時刻を登録する。
【０１４８】
こうして、図１５（ｂ）のように、各貨幣入出金機２で精査処理が完了する度に、管理テーブル５３０ａに、完了の旨と完了時刻とが登録されていく。
【０１４９】
次に、出納機３で行われる締め処理について説明する。
【０１５０】
図１６は、本実施形態に係る、締め処理の制御動作を示すフローチャートである。図１７（ａ）は、本実施形態に係る、締め実行画面Ｓ２６を示す図であり、図１７（ｂ）は、本実施形態に係る、再精査実行画面Ｓ２７を示す図である。
【０１５１】
操作表示部５１０上で締め処理を実行するための所定の操作がなされると、締め処理が開始される。
【０１５２】
端末制御部５２０は、操作表示部５１０に締め実行画面Ｓ２６を表示させる（Ｓ６０１）。この際、図１７（ａ）のように、端末制御部５２０は、管理テーブル５３０ａを参照し、各貨幣入出金機２の精査処理の状況を締め実行画面Ｓ２６に載せる。また、締め実行画面Ｓ２６には、データクリア操作に用いられる実行ボタンＢ２６が設けられる。
【０１５３】
実行ボタンＢ２６の押下によるデータクリア操作がなされると（Ｓ６０２：ＹＥＳ）、端末制御部５２０は、全ての貨幣入出金機２で精査処理が完了しているか否かを判定する（Ｓ６０３）。
【０１５４】
通常、出納係は、締め実行画面Ｓ２６上で全ての貨幣入出金機２で精査処理が完了していることを確認した上で実行ボタンＢ２６を押下する。しかしながら、出納係が、締め実行画面Ｓ２６での精査処理の状況を見落とし、全ての貨幣入出金機２で精査処理が完了しないまま、実行ボタンＢ２６を押してしまうこともあり得る。このような場合、全ての貨幣入出金機２で精査処理が完了していないと判定され（Ｓ６０３：ＮＯ）、端末制御部５２０は、操作を無効とする（Ｓ６０４）。
【０１５５】
一方、全ての貨幣入出金機２で精査処理が完了している場合（Ｓ６０３：ＹＥＳ）、端末制御部５２０は、各貨幣入出金機２の制御部１３に、管理テーブル５３０ａに登録された精査処理の完了時刻を伝えて、完了時刻の後に上述のエラーが発生したか否かを問い合せる（Ｓ６０５）。貨幣入出金機２の制御部１３は、完了時刻後のエラーの有無を端末制御部５２０に返す。
【０１５６】
エラーが発生した貨幣入出金機２が無い場合（Ｓ６０６：ＮＯ）、端末制御部５２０は、データクリア処理を行う（Ｓ６０７）。こうして、締め処理が終了する。
【０１５７】
一方、エラーが発生した貨幣入出金機２が有る場合（Ｓ６０６：ＮＯ）、端末制御部５２０は、操作表示部５１０に再精査実行画面Ｓ２７を表示させる（Ｓ６０８）。再精査実行画面Ｓ２７では、再精査が必要な貨幣入出金機２が示され、この貨幣入出金機２で再精査を実行するか否かが問い合わされる。この問合せに応答するため、再精査実行画面Ｓ２７には、再実行ボタンＢ２７と取消ボタンＢ２８とが設けられる。
【０１５８】
端末制御部５２０は、再実行ボタンＢ２７の押下による再実行操作がなされたか否か、および、取消ボタンＢ２８の押下による取消操作がなされたか否かを判定する（Ｓ６０９、Ｓ６１０）。
【０１５９】
再実行操作がなされると（６０９：ＹＥＳ）、端末制御部５２０は、管理テーブル５３０ａにおいて、該当する貨幣入出金機２の精査完了の登録を抹消する（Ｓ６１１）。精査状況の欄が「未」の状態となり、完了時刻の欄から完了時刻が消される。その後、端末制御部５２０は、該当する貨幣入出金機２の制御部１３に再精査の実行を指示する（Ｓ６１２）。この場合、一旦、締め処理が終了する。該当する貨幣入出金機２における精査処理が完了した後に、締め処理が再び実行される。
【０１６０】
こうして、精査処理の後にエラーが発生した貨幣入出金機２において、再度、精査処理を行うことができる。この精査処理が完了すると、再度、精査処理の完了が出納機３に通知される。
【０１６１】
一方、取消操作がなされると（Ｓ６１０：ＹＥＳ）、端末制御部５２０は、データクリア処理を行う（Ｓ６０７）。なお、取消操作は、たとえば、出納係が、エラーの状況を確認し、在高が保証できると判断した場合に行われ得る。
【０１６２】
＜実施形態の効果＞
本実施形態によれば、以下の効果が奏され得る。
【０１６３】
（１）貨幣入出金機２に貨幣の不足が生じた場合、貨幣入出金機２に補充する貨幣を出金する出納機３において、操作表示部５１０での警告アイコンＩＣ２１によって貨幣の不足が通知されるので、出納係が出納機３から補充する貨幣を出金し、貨幣入出金機２に持参することができる。これにより、貨幣入出金機２を扱うテラーが窓口を離れなくて済み、貨幣の補充のために窓口業務が長く中断されることが防止される。
【０１６４】
（２）貨幣入出金機２に貨幣の超過が生じた場合、貨幣入出金機２から回収された貨幣が入金される出納機３において、操作表示部５１０での警告アイコンＩＣ２２によって貨幣の超過が通知されるので、出納係が、貨幣入出金機２から回収された貨幣を出納機３まで持参し、出納機３に入金できる。これにより、貨幣入出金機２を扱うテラーが窓口を離れなくて済み、貨幣の回収のために窓口業務が長く中断されることが防止される。
【０１６５】
（３）貨幣入出金機２に貨幣の不足が生じた場合に、補充される貨幣の数量が特定され、特定された数量の貨幣が出納機３から出金されるので、出納係が、貨幣入出金機２に出向いて補充される貨幣の量を確認し、その貨幣の量を出納機３において入力するといった手間がいらず、利便性が高まる。
【０１６６】
（４）貨幣入出金機２に貨幣の超過が生じた場合に、回収される貨幣の数量が特定され、特定された数量の貨幣が貨幣入出金機２から出金されるので、出納係やテラーが、回収される貨幣の量を貨幣入出金機２において入力するといった手間がいらず、利便性が高まる。
【０１６７】
（５）貨幣入出金機２に貨幣の超過が生じた場合、貨幣の回収を促すメッセージ情報が含まれた詳細情報ウィンドウＷ２１が出納機３側の操作表示部５１０に表示されるので、回収の対象となる貨幣入出金機２に素早く出納係を向かわせやすくなる。
【０１６８】
（６）貨幣の補充や回収の対象となる貨幣入出金機２を特定するための情報が選択画面Ｓ２２や詳細情報ウィンドウＷ２１により出納機３側の操作表示部５１０に表示されるので、出納係は、貨幣の補充や回収のために自身が向かうべき貨幣入出金機２を素早く把握できる。
【０１６９】
（７）出納機３で警告アイコンＩＣ２１、ＩＣ２２による警告が行われた後に出納機３から送られてくる補充データや回収データ（契機情報）を契機として、貨幣入出金機２では、操作表示部１５に、出納機３側で補充や回収に対応する処理が行われたことを示す対応中アイコンＩＣ１２、ＩＣ１４が表示されるので、テラーは、出納係が出納機３において貨幣の補充や回収ための対応を行ってくれていることを把握できる。
【０１７０】
以上、本発明の実施形態について説明したが、本発明は、上記実施形態によって何ら制限されるものではなく、また、本発明の実施形態も、以下に示す通り、上記以外に種々の変更が可能である。
【０１７１】
＜変更例１＞
図１８は、変更例１に係る、貨幣入出金機２側で行われる残量監視・回収処理の制御動作を示すフローチャートである。図１９は、変更例１に係る、出納機３側で行われる残量監視・回収処理の制御動作を示すフローチャートである。なお、図１８に示す残量監視・回収処理では、図１１に示す残量監視・回収処理と比較した場合に、Ｓ３１３の処理が付加される。また、図１９に示す残量監視・回収処理では、図１３に示す残量監視・回収処理と比較した場合に、Ｓ４２１ないしＳ４２３の処理が付加される。さらに、図１９のフローチャートでは、Ｓ４１０以前の処理の図示が省略されている。
【０１７２】
貨幣入出金機２側では、図１８に示すように、Ｓ３１２の処理が実行され、貨幣入出金機２からの紙幣の回収が完了すると、制御部１３は、実際に回収した紙幣の金種データと枚数データとを、出納機３に入金される紙幣の入金データとして出納機３へ送信する（Ｓ３１３）。実際に回収する紙幣の金種と枚数は、紙幣が出金部１２０に搬送される際に識別部１５０で識別および計数される。
【０１７３】
一方、出納機３側では、Ｓ４１３で確認操作がなされると（Ｓ４１３：ＹＥＳ）、端末制御部５２０は、貨幣入出金機２からの入金データの受信を待つ（Ｓ４２１）。入金データが通信部５４０に受信されると、端末制御部５２０は、入金データに関連付けられたアイコンを操作表示部５１０に表示させ、このアイコンの押下による入金操作を待つ（Ｓ４１４）。そして、入金操作がなされると（Ｓ４１４：ＹＥＳ）、端末制御部５２０は、入金開始画面Ｓ２５を操作表示部５１０に表示させる（Ｓ４１５）。開始操作に基づいて入金処理が実行され、出納機３への入金が行われると、端末制御部５２０は、入金された実際の紙幣の金種および枚数が入金データ（金種データおよび枚数データ）と一致するか否かを判定する（Ｓ４２２）。そして、一致しない場合、端末制御部５２０は、操作表示部５１０等を用いて、一致しない旨の警告を行う（Ｓ４２３）。なお、この場合、一致の有無の判定が、入金された紙幣が一時保留部３８０に保留されている間に行われ、一致する場合は、一時保留部３８０から金種別収納部４００に紙幣が移され、一致しない場合は、警告後に出金部３３０に紙幣が返却されるような構成を採ることができる。また、警告だけでなく、上位権限を持つ者のパソコン等の端末に通知するようにしてもよい。
【０１７４】
このような構成とすれば、実際に回収された紙幣を、正確に出納機３（紙幣処理機２０）へ入金できる。
【０１７５】
＜その他の変更例＞
上記実施形態では、貨幣入出金機２から出納機３へスタッカ１９０内の紙幣の枚数データが送信され、出納機３側において、受信された枚数データと下限側の閾値や上限側の閾値とが比較されてスタッカ１９０内がニアエンプティ状態であるか否かおよびニアフル状態であるか否かが判定された。しかしながら、貨幣入出金機２においても、ニアエンプティ状態であるか否かおよびニアフル状態であるか否かの検出が行われている。よって、貨幣入出金機２側でニアエンプティ状態やニアフル状態を検出したときに貨幣入出金機２から出納機３へ検出情報を送るようにし、出納機３側では、下限側の閾値や上限側の閾値との比較は行わず、検出情報が送られてきたときに、ニアエンプティ状態やニアフル状態が発生したと判定するようにしてもよい。
【０１７６】
また、上記実施形態では、貨幣入出金機２で貨幣の不足や超過が生じたことが、操作表示部５１０に表示された警告アイコンＩＣ２１、ＩＣ２２によって出納機３側で通知された。しかしながら、通知の方法は、これに限られず、たとえば、スピーカからのアラートや音声により通知が行われてもよい。
【０１７７】
さらに、上記実施形態において、貨幣入出金機２に実際に補充された紙幣の金種と枚数が、補充データ（金種データおよび枚数データ）と照合されてもよい。同様に、出納機３に実際に入金された紙幣の金種と枚数が、回収データ（金種データおよび枚数データ）と照合されてもよい。
【０１７８】
さらに、上記実施形態では、補充データが、出納機３から通信回線４を介して貨幣入出金機２へ送られた。しかしながら、出納機３から補充する紙幣が出金されたときに、補充対象の貨幣入出金機２の機器番号および補充データを、プリンタ５０でＱＲコード（登録商標）にて出金レシートに印刷するようにし、ＱＲコード（登録商標）を補充対象の貨幣入出金機２で読み取らせることにより、補充データの自動入力が行われるようにしてもよい。同様に、変更例１において、回収対象の貨幣入出金機２の機器番号および入金データを、貨幣入出金機２が有するプリンタでＱＲコード（登録商標）にて出金レシートに印刷するようにし、ＱＲコード（登録商標）を出納機３で読み取らせることにより、入金データの自動入力が行われるようにしてもよい。
【０１７９】
さらに、上記実施形態において、警告アイコンＩＣ２１、ＩＣ２２が操作表示部５１０に表示された後、所定の制限時間が経過しても警告アイコンＩＣ２１、ＩＣ２２が押下されない場合、警告アイコンＩＣ２１、ＩＣ２２を拡大させたり点滅させたりなどすることで、警告を強めるようにしてもよい。また、警告音を発生させたり、出納係の携帯端末に通知したりするようにしてもよい。さらに、時間の経過とともに警告を徐々に強めるようにしてもよい。
【０１８０】
さらに、上記実施形態において、出納機３（紙幣処理機２０）から、ニアエンプティ状態が発生したスタッカ１９０に補充する紙幣を出金する際、これと一緒に標準収納枚数を下回るがニアエンプティ状態にはなっていない他のスタッカ１９０に補充する紙幣が出金されてもよい。
【０１８１】
さらに、貨幣処理システム１が、複数台の貨幣入出金機２を備えるものでなく、１台の貨幣入出金機２を備えるものであってもよい。
【０１８２】
さらに、上記実施形態では、本発明が、貨幣入出金機２と出納機３とからなる貨幣処理システム１に適用された。しかしながら、本発明は、その他の貨幣処理システム、たとえば、スーパーマーケット等においてキャッシュレジスタ（ＰＯＳ端末）に接続される釣銭機と、これに対して補充および回収が行われる貨幣の入出金を行う貨幣入出金装置とからなる貨幣処理システムに適用されてもよい。
【０１８３】
この他、本発明の実施形態は、特許請求の範囲に記載の範囲で適宜変更可能である。
【符号の説明】
【０１８４】
１  貨幣処理システム
２  貨幣入出金機（第１の貨幣処理装置）
３  出納機（第２の貨幣処理装置）
１３  制御部（表示制御部、情報提供部）
１５  操作表示部（表示部）
１９０  スタッカ（収納部）
５１０  操作表示部（情報出力部）
５２０  端末制御部（判定部、情報出力制御部、補充貨幣量特定部、回収貨幣量特定部）
Ｓ２２  選択画面
ＩＣ２１  警告アイコン（通知情報）
ＩＣ２２  警告アイコン（通知情報）
Ｗ２１  詳細情報ウィンドウ
ＩＣ１２  対応中アイコン
ＩＣ１４  対応中アイコン
【図１】
2018005795.tif 000003
【図２】
2018005795.tif 000004
【図３】
2018005795.tif 000005
【図４】
2018005795.tif 000006
【図５】
2018005795.tif 000007
【図６】
2018005795.tif 000008
【図７】
2018005795.tif 000009
【図８】
2018005795.tif 000010
【図９】
2018005795.tif 000011
【図１０】
2018005795.tif 000012
【図１１】
2018005795.tif 000013
【図１２】
2018005795.tif 000014
【図１３】
2018005795.tif 000015
【図１４】
2018005795.tif 000016
【図１５】
2018005795.tif 000017
【図１６】
2018005795.tif 000018
【図１７】
2018005795.tif 000019
【図１８】
2018005795.tif 000020
【図１９】
2018005795.tif 000021